(57)【要約】      （修正有）【課題】断熱効果を持たせたうえで、従来の通信用キャビネットと比較して、重量が軽いうえに、形状を小さくすることができる通信用キャビネットを提供する。【解決手段】通信用キャビネット１００は、背面が開放された筐体からなり、前面のほぼ全面に第１の開口部、側面に第２の開口部及び底面に第３の開口部を有する本体部１０と、本体部の背面をなすように本体部の開放領域を閉塞して固着される背面取付部と、第１の開口部を開閉自在に本体部に軸着した蓋部と、第２の開口部に対向して本体部の側面に固着し、本体部の側面に固着した状態で、第２の開口部に対して垂直下側方向に通風路を有している第１のカバー部４０と、底面が開放された筐体からなり、第３の開口部と重畳する開口部の上面を本体部の底面に固着したスカート部５０と、を備え、本体部、背面取付部、蓋部３０、第１のカバー部及びスカート部を、ＦＲＰを用いて別体として成型している。【選択図】図１
2008236912.tif 000002
【特許請求の範囲】
【請求項１】
通信線路の信号を各戸へ分配する通信機器が収納される通信用キャビネットであって、
背面が開放された筐体からなり、少なくとも、前面のほぼ全面に第１の開口部、側面に第２の開口部及び底面に第３の開口部を有する本体部と、
前記本体部の背面をなすように前記本体部の開放領域を閉塞して固着される背面取付部と、
前記第１の開口部を開閉自在に前記本体部に軸着した蓋部と、
前記第２の開口部に対向して前記本体部の側面に固着し、当該本体部の側面に固着した状態で、前記第２の開口部に対して垂直下側方向に通風路を有している第１のカバー部と、
底面が開放された筐体からなり、前記第３の開口部と重畳する開口部を上面に有し、当該上面を前記本体部の底面に固着したスカート部と、
を備え、
前記本体部、背面取付部、蓋部、第１のカバー部及びスカート部を、ＦＲＰを用いてそれぞれ別体として成型していることを特徴とする通信用キャビネット。
【請求項２】
前記請求項１に記載の通信用キャビネットにおいて、
ＦＲＰを用いて成型し、前記スカート部の内部に配設した第２のカバー部を備え、
前記第２のカバー部は、前記第３の開口部に対向して前記スカート部の内面に固着し、当該スカート部に固着した状態で、前記第３の開口部に対して垂直方向に通風路を有していることを特徴とする通信用キャビネット。
【請求項３】
前記請求項２に記載の通信用キャビネットにおいて、
前記第２のカバー部の内部に配設した略矩形状の抵抗部材を備え、
前記抵抗部材は、前記本体部から通風路入口に向けて突出する第１の抵抗部材と、前記第２のカバー部から前記通風路入口に向けて突出する第２の抵抗部材とからなり、
前記第２の抵抗部材の先端が、前記第１の抵抗部材の先端に対して前記通風路入口側かつ本体部側に位置することを特徴とする通信用キャビネット。
【請求項４】
前記請求項１乃至３のいずれかに記載の通信用キャビネットにおいて、
前記第１のカバー部の内部に配設した略矩形状の抵抗部材を備え、
前記抵抗部材は、前記本体部から通風路出口に向けて突出する第１の抵抗部材と、前記第１のカバー部から前記通風路出口に向けて突出する第２の抵抗部材とからなり、
前記第２の抵抗部材の先端が、前記第１の抵抗部材の先端に対して前記通風路出口側かつ本体部側に位置することを特徴とする通信用キャビネット。
【請求項５】
前記請求項１乃至４のいずれかに記載の通信用キャビネットにおいて、
ＦＲＰを用いて成型し、前記本体部の上面を被覆する屋根部と、
前記本体部の上面と前記屋根部の内面とで一端を挟持し、前記本体部の上面に配設した貫通孔を介して他端を前記本体部の天井から吊り下げた支持部と、
前記本体部の外部に前記通信機器を引出自在とするスライド機構部と、
を備え、
前記支持部は、前記スライド機構部を支持することを特徴とする通信用キャビネット。
【請求項６】
前記請求項１乃至５のいずれかに記載の通信用キャビネットにおいて、
前記本体部の上面に第４の開口部を有し、前記本体部の上面及び前記第４の開口部の縁部に接着剤を延在させて、前記本体部と前記屋根部とを接着していることを特徴とする通信用キャビネット。
【請求項７】
前記請求項１乃至６のいずれかに記載の通信用キャビネットにおいて、
前記ＦＲＰは、ＦＲＰ層間にアルミシートを配設していることを特徴とする通信用キャビネット。
【発明の詳細な説明】
【技術分野】
【０００１】
この発明は、屋外に設置して様々な気象条件下で通信機器を保護するための通信用キャビネットに関するものであり、特に、ＶＤＳＬ（Very High bit rate Digital Subscriber Line）装置などの通信機器を内部に収納した通信用キャビネットに関するものである。
【背景技術】
【０００２】
従来の制御盤装置においては、側面化粧板の一部に開口して取り付けられ開閉自在なＦＲＰ製の側面扉と、筐体に内蔵して設けられ、屋根、正背面扉及び側面化粧板とで構成する外箱と二重構造体をなす金属製の密閉箱とを備えている（例えば、特許文献１参照）。
【特許文献１】特開平８−６５８２６号公報（第２−３頁、図１）
【発明の開示】
【発明が解決しようとする課題】
【０００３】
従来の制御盤装置は、屋根、側面化粧版、正背面扉及び側面扉はＦＲＰ製であるが、筐体及び密閉箱は金属製であり、重量が重く、制御盤装置を所定の場所に設置するために、制御盤装置を運搬することが不便であるという問題点があった。
【０００４】
また、密閉箱は、筐体に内蔵して設けられ、屋根、正背面扉及び側面化粧板とで構成する外箱と二重構造体をなしており、制御盤装置を所定の場所に設置するために、ある程度の高さ、幅及び奥行がある設置場所が必要であるという問題点があった。
【０００５】
この発明は、上述のような課題を解決するためになされたもので、断熱効果を持たせたうえで、従来の通信用キャビネットと比較して、重量が軽いうえに、形状を小さくすることができる通信用キャビネットを提供することを目的とする。
【課題を解決するための手段】
【０００６】
この発明に係る通信用キャビネットにおいては、通信線路の信号を各戸へ分配する通信機器が収納される通信用キャビネットであって、背面が開放された筐体からなり、少なくとも、前面のほぼ全面に第１の開口部、側面に第２の開口部及び底面に第３の開口部を有する本体部と、前記本体部の背面をなすように前記本体部の開放領域を閉塞して固着される背面取付部と、前記第１の開口部を開閉自在に前記本体部に軸着した蓋部と、前記第２の開口部に対向して前記本体部の側面に固着し、当該本体部の側面に固着した状態で、前記第２の開口部に対して垂直下側方向に通風路を有している第１のカバー部と、底面が開放された筐体からなり、前記第３の開口部と重畳する開口部を上面に有し、当該上面を前記本体部の底面に固着したスカート部と、を備え、前記本体部、背面取付部、蓋部、第１のカバー部及びスカート部を、ＦＲＰを用いてそれぞれ別体として成型しているものである。
【０００７】
また、この発明に係る通信用キャビネットにおいては、必要に応じて、ＦＲＰを用いて成型し、前記スカート部の内部に配設した第２のカバー部を備え、前記第２のカバー部は、前記第３の開口部に対向して前記スカート部の内面に固着し、当該スカート部に固着した状態で、前記第３の開口部に対して垂直方向に通風路を有しているものである。
【０００８】
さらに、この発明に係る通信用キャビネットにおいては、必要に応じて、前記第２のカバー部の内部に配設した略矩形状の抵抗部材を備え、前記抵抗部材は、前記本体部から通風路入口に向けて突出する第１の抵抗部材と、前記第２のカバー部から前記通風路入口に向けて突出する第２の抵抗部材とからなり、前記第２の抵抗部材の先端が、前記第１の抵抗部材の先端に対して前記通風路入口側かつ本体部側に位置するものである。
【０００９】
また、この発明に係る通信用キャビネットにおいては、必要に応じて、前記第１のカバー部の内部に配設した略矩形状の抵抗部材を備え、前記抵抗部材は、前記本体部から通風路出口に向けて突出する第１の抵抗部材と、前記第１のカバー部から前記通風路出口に向けて突出する第２の抵抗部材とからなり、前記第２の抵抗部材の先端が、前記第１の抵抗部材の先端に対して前記通風路出口側かつ本体部側に位置するものである。
【００１０】
また、この発明に係る通信用キャビネットにおいては、必要に応じて、ＦＲＰを用いて成型し、前記本体部の上面を被覆する屋根部と、前記本体部の上面と前記屋根部の内面とで一端を挟持し、前記本体部の上面に配設した貫通孔を介して他端を前記本体部の天井から吊り下げた支持部と、前記本体部の外部に前記通信機器を引出自在とするスライド機構部と、を備え、前記支持部は、前記スライド機構部を支持するものである。
【００１１】
さらに、この発明に係る通信用キャビネットにおいては、必要に応じて、前記本体部の上面に第４の開口部を有し、前記本体部の上面及び前記第４の開口部の縁部に接着剤を延在させて、前記本体部と前記屋根部とを接着しているものである。
また、この発明に係る通信用キャビネットにおいては、必要に応じて、前記ＦＲＰは、ＦＲＰ層間にアルミシートを配設しているものである。
【発明の効果】
【００１２】
この発明に係る通信用キャビネットにおいては、通信線路の信号を各戸へ分配する通信機器が収納される通信用キャビネットであって、背面が開放された筐体からなり、少なくとも、前面のほぼ全面に第１の開口部、側面に第２の開口部及び底面に第３の開口部を有する本体部と、前記本体部の背面をなすように前記本体部の開放領域を閉塞して固着される背面取付部と、前記第１の開口部を開閉自在に前記本体部に軸着した蓋部と、前記第２の開口部に対向して前記本体部の側面に固着し、当該本体部の側面に固着した状態で、前記第２の開口部に対して垂直下側方向に通風路を有している第１のカバー部と、底面が開放された筐体からなり、前記第３の開口部と重畳する開口部を上面に有し、当該上面を前記本体部の底面に固着したスカート部と、を備え、前記本体部、背面取付部、蓋部、第１のカバー部及びスカート部を、ＦＲＰを用いてそれぞれ別体として成型していることにより、従来の通信用キャビネットと比較して、軽量かつ小型にすることができる。
【００１３】
また、この発明に係る通信用キャビネットにおいては、必要に応じて、ＦＲＰを用いて成型し、前記スカート部の内部に配設した第２のカバー部を備え、前記第２のカバー部は、前記第３の開口部に対向して前記スカート部の内面に固着し、当該スカート部に固着した状態で、前記第３の開口部に対して垂直方向に通風路を有していることにより、第３の開口部から通信用キャビネットの内部への雨の侵入を抑制することができる。
【００１４】
さらに、この発明に係る通信用キャビネットにおいては、必要に応じて、前記第２のカバー部の内部に配設した略矩形状の抵抗部材を備え、前記抵抗部材は、前記本体部から通風路入口に向けて突出する第１の抵抗部材と、前記第２のカバー部から前記通風路入口に向けて突出する第２の抵抗部材とからなり、前記第２の抵抗部材の先端が、前記第１の抵抗部材の先端に対して前記通風路入口側かつ本体部側に位置することにより、第３の開口部から通信用キャビネットの内部への雨の侵入をさらに抑制することができる。
【００１５】
また、この発明に係る通信用キャビネットにおいては、必要に応じて、前記第１のカバー部の内部に配設した略矩形状の抵抗部材を備え、前記抵抗部材は、前記本体部から通風路出口に向けて突出する第１の抵抗部材と、前記第１のカバー部から前記通風路出口に向けて突出する第２の抵抗部材とからなり、前記第２の抵抗部材の先端が、前記第１の抵抗部材の先端に対して前記通風路出口側かつ本体部側に位置することにより、第２の開口部から通信用キャビネットの内部への雨の侵入をさらに抑制することができる。
【００１６】
また、この発明に係る通信用キャビネットにおいては、必要に応じて、ＦＲＰを用いて成型し、前記本体部の上面を被覆する屋根部と、前記本体部の上面と前記屋根部の内面とで一端を挟持し、前記本体部の上面に配設した貫通孔を介して他端を前記本体部の天井から吊り下げた支持部と、前記本体部の外部に前記通信機器を引出自在とするスライド機構部と、を備え、前記支持部は、前記スライド機構部を支持することにより、ＦＲＰ製の通信用キャビネットでは本体部の天井から吊り下げることが困難であった支持部を、天井から吊り下げることができるとともに、貫通孔から支持部をつたって通信用キャビネットの内部に雨が侵入する不具合を防止することができる。
【００１７】
さらに、この発明に係る通信用キャビネットにおいては、必要に応じて、前記本体部の上面に第４の開口部を有し、前記本体部の上面及び前記第４の開口部の縁部に接着剤を延在させて、前記本体部と前記屋根部とを接着していることにより、本体部と屋根部とを強固に接着することができる。
【００１８】
また、この発明に係る通信用キャビネットにおいては、必要に応じて、前記ＦＲＰは、ＦＲＰ層間にアルミシートを配設していることにより、通信用キャビネットの外装の塗装が剥離した場合であっても、アルミシートによって太陽光を遮光することでき、通信用キャビネットの内部の温度上昇を抑制することができる。
【発明を実施するための最良の形態】
【００１９】
（本発明の第１の実施形態）
図１はこの発明を実施するための第１の実施形態における通信用キャビネットの概略構成図、図２（ａ）は図１に示す通信用キャビネットの本体部の正面図、図２（ｂ）は図１に示す通信用キャビネットの本体部の右側面図、図２（ｃ）は図１に示す通信用キャビネットの本体部の下面図、図３（ａ）は図１に示す通信用キャビネットの本体部の上面図、図３（ｂ）は図２（ａ）に示す本体部の矢視Ａ−Ａ線の断面図、図４は図１に示す通信用キャビネットの背面取付部の正面図、図５（ａ）は図１に示す通信用キャビネットの第１のカバー部の右側面図、図５（ｂ）は図５（ａ）に示す第１のカバー部の矢視Ｂ−Ｂ線の断面図、図６（ａ）は図１に示す通信用キャビネットのスカート部及び第２のカバー部の上面図、図６（ｂ）は図６（ａ）に示すスカート部及び第２のカバー部の矢視Ｃ−Ｃ線の断面図、図７は図１に示す通信用キャビネットのＶＤＳＬ取付部にＶＤＳＬ装置を取り付けた状態を示す部分拡大図、図８（ａ）は図７に示すＶＤＳＬ取付部のプレート及び寸切ボルトの右側面図、図８（ｂ）は図７に示すＶＤＳＬ取付部の延在部の右側面図、図８（ｃ）は図７に示すＶＤＳＬ取付部の対向部の上面図、図９（ａ）は図１に示す通信用キャビネットの蓋部の正面図、図９（ｂ）は図９（ａ）に示す蓋部の矢視Ｄ−Ｄ線の断面図、図１０（ａ）はこの発明を実施するための第１の実施形態における据置きタイプ用の通信用キャビネットの概略構成図、図１０（ｂ）は図１０（ａ）に示す据置きタイプ用支持部の側面図である。
図１乃至図１０において、通信用キャビネット１００は、例えば、ＶＤＳＬ方式で用いられる通信機器を内部に収納し、マンションや集合住宅などの共用部分に設置されるものである。
【００２０】
通信用キャビネット１００は、筐体本体１００ａとして、背面が開放された筐体からなり、前面１０ａのほぼ全面に第１の開口部１１、側面１０ｂに第２の開口部１２及び底面１０ｃに第３の開口部１３を有する本体部１０と、本体部１０の背面をなすように本体部１０の開放領域を閉塞して固着される背面取付部２０と、第１の開口部１１を開閉自在に本体部１０に軸着した蓋部３０とによって構成されている。また、本体部１０と蓋部３０とを密着させるために、第１の開口部１１の周縁に沿って図示しないパッキンを配設している。
【００２１】
この本体部１０、背面取付部２０及び蓋部３０は、所定の型に樹脂を流し込み、ガラス繊維や炭素繊維などを補強材として埋め込んだ合成樹脂複合材料（繊維強化プラスチック，Fiberglass Reinforced Plastics：以下、ＦＲＰと称す）を固化することで、それぞれを断面略コ字形状に成型し、所望の形状に加工したものである。なお、この第１の実施形態においては、本体部１０、背面取付部２０及び蓋部３０の材料として、完全には遮光することができないＦＲＰに、ＦＲＰ層間に後述するアルミシートを配設することで、遮光性を持たせたＦＲＰを使用した。
【００２２】
以下、ＦＲＰ層間にアルミシートを配設するＦＲＰの製造方法について説明する。
ここで、アルミニウムと樹脂材料との接着性は悪く、アルミニウムの表面で樹脂材料の剥離が生じやすい。そこで、ポリエチレン-テレフタレート（polyethylene terephthalate：ＰＥＴ）などの樹脂製支持体シートの両面にアルミニウムを蒸着したアルミシートを作製する。さらに、このアルミシートの両面に、ウレタン樹脂を１〜５重量％、シランカップリング剤を１〜５重量％、エチルアルコール１〜５重量％及び水を接着剤成分として、塗布し接着剤を乾燥させることで、接着剤付きアルミシートを作製する。
【００２３】
つぎに、所定の型に、水を含有する樹脂（例えば、ポリエステル樹脂）を流し込み補強材を埋め込む。そして、この樹脂が固化する前に接着剤付きアルミシートをＦＲＰ層に貼り付けることで、この樹脂材料に含有された水分によって、アルミシート上の接着剤の接着機能が発現され、ＦＲＰの樹脂とアルミシートを強固に接合することができる。
【００２４】
このように、本体部１０と背面取付部２０とをそれぞれ別体でＦＲＰを用いて成型した後に、背面が開放された本体部１０に、本体部１０の背面をなすように本体部１０の開放領域を閉塞して背面取付部２０をシリコン樹脂などの接着剤を用いて接着することで、箱形状をなしている。
【００２５】
第２の開口部１２は、図２（ｂ）に示すように、筐体本体１００ａの内部を換気するための排気口であり、筐体本体１００ａの内部に換気扇１を取り付けている。なお、この第１の実施形態においては、通信用キャビネット１００を正面から見て、本体部１０の右側面に第２の開口部１２を配設しているが、本体部１０の側面１０ｂの上部に第２の開口部１２を配設するのであれば、この構成に限られるものではなく、本体部１０の左側面又は両側面に第２の開口部１２を配設してもよい。
【００２６】
第３の開口部１３は、図２（ｃ）に示すように、筐体本体１００ａの内部を換気するための吸気口であり、筐体本体１００ａの外部から塵、埃、塩分又は虫などの異物が筐体本体１００ａの内部に侵入することを防止するために、筐体本体１００ａの内部から第３の開口部１３を覆うようにフィルタ２を配設している。
【００２７】
なお、この第１の実施形態においては、通信用キャビネット１００を正面から見て、第３の開口部１３を本体部１０の底面１０ｃの左側に配設しているが、本体部１０の底面１０ｃに配設するのであれば、この構成に限られるものではないが、前述した排気口となる第２の開口部１２と本体部１０の対角線をなすように配設することで、第３の開口部１３から吸引した外気を筐体本体１００ａの内部で広範囲に循環させることができるので、好ましい。
【００２８】
また、本体部１０の底面１０ｃには、図示しない光ファイバケーブルやメタルケーブルなどの通信線路を筐体本体１００ａの内部に導入又は筐体本体１００ａの外部に導出するためのケーブル用孔１４が形成されている。また、このケーブル用孔１４には、図示しない膜付グロメットが付設されており、ケーブル用孔１４から筐体本体１００ａの内部に水などの液体やゴミや虫などの異物が侵入することを抑制できるように構成されている。
【００２９】
筐体本体１００ａの内部には、後述するＶＤＳＬ装置２１０を取り付けるための金具であるＶＤＳＬ取付部３００と、ＯＮＵ（Optical Network Unit）２２０、ＰＴ（Premises Termination）２３０及び端子盤２４０を取り付けるための設置板３と、図示しない温度調節器、電流制限器、端子台、配線用ダクト又はタップなどとを備えている。なお、この第１の実施形態においては、１枚の設置板３に、ＯＮＵ２２０、ＰＴ２３０及び端子盤２４０を取り付けているが、この構成に限られるものではなく、複数の設置板や設置台にそれぞれ取り付けてもよい。
【００３０】
ＶＤＳＬ装置２１０は、マンションや集合住宅に予め設けられている電話回線用のメタル屋内配線やＬＡＮ（Local AreaNetwork）用のメタルケーブル配線を用いてＬＡＮを構築する装置である。そして、ＶＤＳＬ装置２１０は、ＯＮＵ２２０との間で信号を送受信するように構成されている。
【００３１】
ＯＮＵ２２０は、光ファイバケーブルを介してＰＴ２３０に接続されると共に、メタルケーブルを介してＶＤＳＬ装置２１０に接続されている。そして、ＯＮＵ２２０は、ＰＴ２３０から光ファイバケーブルを介して伝送された光信号を電気信号に変換してＶＤＳＬ装置２１０に伝送し、ＶＤＳＬ装置２１０から伝送された電気信号を光信号に変換してＰＴ２３０に伝送するように構成されている。
【００３２】
ＰＴ２３０は、電話局内に配置された図示しないＯＬＴ（Optical Line Terminal）を経由する光ファイバケーブルをマンションや集合住宅の内部に配設された集合住宅側の光ファイバケーブルに接続する装置であって、この集合住宅側の光ファイバケーブルを介してＯＮＵ２２０に接続されている。
【００３３】
端子盤２４０は、電話局内に配置された電話交換機からメタルケーブルによって、図示しないＭＤＦ（Main Distributing Frame：本配線盤）を経由して接続されている。そして、この端子盤２４０は、メタルケーブルを介してＶＤＳＬ装置２１０に接続されている。
【００３４】
背面取付部２０は、図４に示すように、通信用キャビネット１００を壁面に設置する場合（以下、壁掛けタイプと称す）に固定用に使用する壁掛設置用孔２１が４箇所に設けられている。また、図示しないリベットによって設置板３が取り付けられている。
【００３５】
また、通信用キャビネット１００は、第２の開口部１２に対向して本体部１０の側面１０ｂに固着した第１のカバー部４０を備えている。図５に示すように、この第１のカバー部４０は、本体部１０の側面１０ｂに固着した状態で、第２の開口部１２に対して垂直下側方向が通風路となるように、第１のカバー部４０は、前面、背面及び上面は有しているが、底面を有していない。
【００３６】
また、第１のカバー部４０の内部には、略矩形状の抵抗部材４１，４２を配設している。この抵抗部材４１，４２は、本体部１０から通風路出口４０ａに向けて突出する第１の抵抗部材４１と、第１のカバー部４０から通風路出口４０ａに向けて突出する第２に抵抗部材４２とからなり、第２の抵抗部材４２の先端４２ａが、第１の抵抗部材４１の先端４１ａに対して通風路出口４０ａ側かつ本体部１０側に位置している。
【００３７】
また、通信用キャビネット１００は、図６に示すように、底面が開放された筐体からなり、第３の開口部１３と重畳する開口部５１を上面５０ａに有し、この上面５０ａを本体部１０の底面１０ｃに固着したスカート部５０を備えている。なお、この第１の実施形態においては、開口部５１は、第３の開口部１３をほぼ包含し、ケーブル用孔１４を完全に包含するような長方形の開口としているが、少なくとも第３の開口部１３の一部を包含する範囲とケーブルの断面を包含する範囲との開口があればよく、複数の貫通孔を有してもよい。
【００３８】
さらに、スカート部５０の内部に第２のカバー部６０を配設しており、この第２のカバー部６０は、第３の開口部１３に対向してスカート部５０の内面５０ｂに固着している。また、スカート部５０に固着した状態で、第３の開口部１３に対して垂直左側方向が通風路となるように、第２のカバー部６０は、前面、背面及び左側面は有しているが、右側面を有していない。
【００３９】
なお、この第１の実施形態においては、通信用キャビネット１００を正面から見て、本体部１０の底面１０ｃの左側に第３の開口部１３を配設しているために、第３の開口部１３から最も離間した側面である右側面を第２のカバー部６０は有していないが、この構成に限られるものではなく、本体部１０の底面１０ｃにおける第３の開口部１３を配設した位置によって、第３の開口部１３から最も離間した側面を有しない構成とすることが好ましい。
【００４０】
また、第２のカバー部６０の内部には、略矩形状の抵抗部材６１，６２を配設している。この抵抗部材６１，６２は、本体部１０から通風路入口６０ａに向けて突出する第１の抵抗部材６１と、第２のカバー部６０から通風路入口６０ａに向けて突出する第２に抵抗部材６２とからなり、第２の抵抗部材６２の先端６２ａが、第１の抵抗部材６１の先端６１ａに対して通風路入口６０ａ側かつ本体部１０側に位置している。
【００４１】
なお、第１のカバー部４０、第１の抵抗部材４１、第２の抵抗部材４２、スカート部５０、第２のカバー部６０、第１の抵抗部材６１及び第２の抵抗部材６２についても、本体部１０、背面取付部２０及び蓋部３０と同様に、ＦＲＰ層間にアルミシートを配設したＦＲＰを用いて、それぞれ別体で成型している。
【００４２】
また、第２の抵抗部材４２は第１のカバー部４０の所定の位置に、第２の抵抗部材６２は第２のカバー部６０の所定の位置に、シリコン樹脂などの接着剤を用いてそれぞれ接着している。また、第１の抵抗部材４１及び第１のカバー部４０は、本体部１０の右側面１０ｂの所定の位置に、図示しないリベットによって鋲着している。また、第１の抵抗部材６１は本体部の底面１０ｃの所定の位置に、第２のカバー部６０はスカート部５０を介して本体部１０の所定の位置に、図示しないねじとゆるみ止めナットによってそれぞれ螺着している。
【００４３】
また、通信用キャビネット１００は、必要に応じて、本体部１０の上面１０ｄを被覆する屋根部７０を備えており、特に、ＶＤＳＬ装置２１０を本体部１０の天井１０ｅから吊り下げて配設する場合に有用である。
【００４４】
すなわち、従来の金属製の通信用キャビネットでは、ＶＤＳＬ装置２１０を天井から吊り下げるための取付部材を天井に溶接するなどして容易に取り付けることが可能であるが、この発明に係る通信用キャビネット１００においては、通信用キャビネット１００がＦＲＰ製であるために、複数のＶＤＳＬ装置２１０を支持できるほどに本体部１０の天井１０ｅと取付部材とを強固に固着することが困難である。
【００４５】
そこで、この発明に係る通信用キャビネット１００においては、図７及び図８に示すように、ＶＤＳＬ取付部３００として、本体部１０の上面１０ｄと屋根部７０の内面７０ａとで一端を挟持し、本体部１０の上面１０ｄに配設した貫通孔１５を介して他端を本体部１０の天井１０ｅから吊り下げた支持部３１０と、本体部１０の外部にＶＤＳＬ装置２１０を引出自在とするスライド機構部３２０とを備え、この支持部３１０がスライド機構部３２０を支持している構成である。
【００４６】
具体的には、ＶＤＳＬ取付部３００は、左右一対の支持部３１０と、左右一対の金属性スライドレールなどのスライド機構部３２０とからなり、支持部３１０は、プレート３１１ａにほぼ垂直に溶接した２つの寸切ボルト３１１ｂに、板状の延在部３１２の一端である面３１２ａを座付ナット３１３で螺着し、延在部３１２の他端である面３１２ｂと対向する一端である面３１４ａを有する板状の対向部３１４によって、スライド機構部３２０を挟持し、図示しないねじ又はナットによって螺着している。
【００４７】
これにより、本体部１０の上面１０ｄと屋根部７０の内面７０ａとで支持部３１０のプレート３１１ａを挟持し、プレート３１１ａの面を本体部１０の上面１０ｄで支持することができ、複数のＶＳＤＬ装置２１０の重量及びスライドに耐え得る構造であるとともに、貫通孔１５から支持部３１０をつたって通信用キャビネット１００の内部に雨が侵入する不具合を、屋根部７０によって防止することができる。
【００４８】
なお、屋根部７０についても、本体部１０、背面取付部２０及び蓋部３０と同様に、ＦＲＰ層間にアルミシートを配設したＦＲＰを用いて、成型している。また、屋根部７０は、シリコン樹脂などの接着剤を用いて本体部１０に接着している。
【００４９】
また、図３（ａ）に示すように、本体部１０の上面１０ｄに第４の開口部１６を配設することで、本体部１０の上面１０ｄにおける第４の開口部１６の近傍に塗布した接着剤が、第４の開口部１６の縁部１６ａまで延在し、本体部１０と屋根部７０とを強固に接着することができるので好ましい。
【００５０】
また、図７に示すように、ＶＤＳＬ装置２１０の上側両側面には、Ｌ字状金具３３０の一端の面３３０ａがそれぞれ取り付けられており、他端の面３３０ｂにそれぞれ取り付けられたボルト３３１を、ワッシャー３３２を介して、左右の対向部３１４の他端である面３１４ｂに配設された貫通孔３１４ｃに貫通させ、図示しないクリップナットでそれぞれ固定している。
【００５１】
なお、この第１の実施形態においては、ＶＤＳＬ装置２１０、ＰＴ２３０、ＯＮＵ２２０及び端子盤２４０をそれぞれ１つずつ備えた例を示しているが、加入者の回線数に応じて複数備えることも可能である。
【００５２】
特に、ＶＤＳＬ装置２１０を複数備える場合には、複数のＶＤＳＬ装置２１０を通信用キャビネット１００の奥行方向にほぼ垂直に並設できるように、図８（ｃ）に示すように、左右の対向部３１４の他端面３１４ｂに奥行方向に配設された複数の貫通孔３１４ｃに沿って並設する。これにより、通信用キャビネット１００の奥行は長くなるが、通信用キャビネット１００の高さは低く、幅は狭くすることができるうえに、隣接するＶＤＳＬ装置２１０間を通風するように、筐体本体１００ａの下から吸気し、上から排気するようなエアーフローとすることができる。したがって、ＶＤＳＬ装置２１０の発熱による筐体本体１００ａ内部の温度上昇を、効率よく抑制することができる。
【００５３】
蓋部３０は、本体部３０の第１の開口部１１に対して開閉自在とし、本体部３０から取り外しを可能とする、抜差蝶番４によって本体部３０に取り付けられる。
また、蓋部３０は、図９に示すように、錠前用の金属製ハンドル５ａが取り付けられ、ハンドル５ａを旋回することにより、止め金５ｂを介して、図示しないねじ、ワッシャー及びゆるみ止めナットによって回動自在に取り付けられたロッド棒５ｃが、蓋部３０の上側及び下側の縁からそれぞれ突出し、本体部１０の第１の開口部１１の周縁に形成された断面略Ｌ字状の縁部１１ａに係止するように構成されている。また、ロッド棒５ｃがほぼ垂直に突出するように、蓋部３０の上側及び下側の縁近傍に配設したロッド棒支持部５ｄによって、ロッド棒５ｃをそれぞれ支持している。
【００５４】
なお、この第１の実施形態においては、壁掛けタイプの通信用キャビネット１００を示して説明したが、通信用キャビネット１００を床面に設置してもよい（以下、据置きタイプと称す）。
据置きタイプの通信用キャビネット１００は、壁掛設置用孔２１を設ける必要がないが、通信用キャビネット１００を壁掛けタイプにも据置タイプにも使用できる汎用性を考慮して、壁掛設置用孔２１を図示しない膜付グロメットによって覆うことも考えられる。
【００５５】
図１０に示すように、据置きタイプの通信用キャビネット１００は、本体部１０の底面１０ｃの四隅近傍に、固定用に使用する図示しない据置設置用孔が配設され、この据置設置用孔に左右一対の板状の据置きタイプ用支持部６を図示しない錘用のプレートを介してボルトによって固定する。
【００５６】
この据置きタイプ用支持部６によって、通信用キャビネット１００のスカート部５０の下側は開口しているために、簡易な構成によって、壁掛けタイプ用の通信用キャビネット１００と同様に通信用キャビネット１００の下側から吸気を行なうことができる。
【図面の簡単な説明】
【００５７】
【図１】この発明を実施するための第１の実施形態における通信用キャビネットの概略構成図である。
【図２】図１に示す通信用キャビネットの本体部を示す図であり、（ａ）は正面図、（ｂ）は右側面図、（ｃ）は下面図である。
【図３】図１に示す通信用キャビネットの本体部を示す図であり、（ａ）は上面図、（ｂ）は図２（ａ）に示す本体部の矢視Ａ−Ａ線の断面図である。
【図４】図１に示す通信用キャビネットの背面取付部の正面図である。
【図５】図１に示す通信用キャビネットの第１のカバー部を示す図であり、（ａ）は右側面図、（ｂ）は図５（ａ）に示す第１のカバー部の矢視Ｂ−Ｂ線の断面図である。
【図６】図１に示す通信用キャビネットのスカート部及び第２のカバー部を示す図であり、（ａ）は上面図、（ｂ）は図６（ａ）に示すスカート部及び第２のカバー部の矢視Ｃ−Ｃ線の断面図である。
【図７】図１に示す通信用キャビネットのＶＤＳＬ取付部にＶＤＳＬ装置を取り付けた状態を示す部分拡大図である。
【図８】図７に示すＶＤＳＬ取付部を示す図であり、（ａ）はプレート及び寸切ボルトの右側面図、（ｂ）は延在部の右側面図、（ｃ）は対向部の上面図である。
【図９】図１に示す通信用キャビネットの蓋部を示す図であり、（ａ）は正面図、（ｂ）は図９（ａ）に示す蓋部の矢視Ｄ−Ｄ線の断面図である。
【図１０】この発明を実施するための第１の実施形態における据置きタイプ用の通信用キャビネットを示す図であり、（ａ）は概略構成図、（ｂ）は図１０（ａ）に示す据置きタイプ用支持部の側面図である。
【符号の説明】
【００５８】
１    換気扇
２    フィルタ
３    設置板
４    抜差蝶番
５ａ  ハンドル
５ｂ  止め金
５ｃ  ロッド棒
５ｄ  ロッド棒支持部
６    据置きタイプ用支持部
１０    本体部
１０ａ  前面
１０ｂ  側面
１０ｃ  底面
１０ｄ  上面
１０ｅ  天井
１１    第１の開口部
１１ａ  縁部
１２    第２の開口部
１３    第３の開口部
１４    ケーブル用孔
１５    貫通孔
１６    第４の開口部
１６ａ  縁部
２０    背面取付部
２１    壁掛設置用孔
３０    蓋部
４０    第１のカバー部
４０ａ  通風路出口
４１    第１の抵抗部材
４１ａ  先端
４２    第２の抵抗部材
４２ａ  先端
５０    スカート部
５０ａ  上面
５０ｂ  内面
５１    開口部
６０    第２のカバー部
６０ａ  通風路入口
６１    第１の抵抗部材
６１ａ  先端
６２    第２の抵抗部材
６２ａ  先端
７０    屋根部
７０ａ  内面
１００    通信用キャビネット
１００ａ  筐体本体
２１０    ＶＤＳＬ装置
２２０    ＯＮＵ
２３０    ＰＴ
２４０    端子盤
３００    ＶＤＳＬ取付部
３１０    支持部
３１１ａ  プレート
３１１ｂ  寸切ボルト
３１２    延在部
３１２ａ  一端面
３１２ｂ  他端面
３１３    座付ナット
３１４    対向部
３１４ａ  一端面
３１４ｂ  他端面
３１４ｃ  貫通孔
３２０    スライド機構部
３３０    Ｌ字状金具
３３０ａ  一端面
３３０ｂ  他端面
３３１    ボルト
３２２    ワッシャー
【図１】
2008236912.tif 000003
【図２】
2008236912.tif 000004
【図３】
2008236912.tif 000005
【図４】
2008236912.tif 000006
【図５】
2008236912.tif 000007
【図６】
2008236912.tif 000008
【図７】
2008236912.tif 000009
【図８】
2008236912.tif 000010
【図９】
2008236912.tif 000011
【図１０】
2008236912.tif 000012